(57)【要約】【課題】手術台やストレッチャー、ベッド等の直近から臭気を吸い込み、光触媒により脱臭し、清浄空気を室内に戻せるようにした医療・介護用脱臭装置を提供する。【解決手段】手術台等の台部１の外周部近傍に臭気吸込口３を設け、この臭気吸込口３に続いて導入路４を設ける。導入路４の下流側には脱臭部５を連通させて設け、この脱臭部５内に光触媒部材６と、その光触媒塗布面６ａに光線を照射する光源ランプ７とを対向させて配設する。脱臭部５の下部には導出路８を連通させて設け、この導出路８の内部に送風機９を設ける。更に、前記導入路４の一部に分岐ホース１０を接続して設ける。【選択図】      図１
2005000206.tif 000002
【特許請求の範囲】
【請求項１】
手術台、ストレッチャー、ベッド等の台部近傍に設けた臭気吸込口と、この臭気吸込口から吸い込んだ臭気を、光触媒部材とこの光触媒部材に光線を照射する光源ランプとを有する脱臭部に導入する導入路と、前記脱臭部で脱臭した清浄空気を室内に導出する導出路と、この導出路の内部に設けた送風機とを具備してなることを特徴とする医療・介護用脱臭装置。
【請求項２】
前記導入路の一部に、台部上の局所で発生する臭気を吸い込む分岐ホースを接続したことを特徴とする請求項１記載の医療・介護用脱臭装置。
【発明の詳細な説明】
【０００１】
【発明の属する技術分野】
本発明は、特に病院医療施設や老人介護施設等で発生する臭気を速やかに脱臭し、脱臭後に清浄空気を室内に戻せるようにした医療・介護用脱臭装置に関する。
【０００２】
【従来の技術】
病院医療施設や老人介護施設等においては、汚物や排泄物等の臭気が室内に漂うことが多い。このような室内で発生する臭気を除去するには、従来例えば換気扇や空気清浄器等を用いて排出するとか、活性炭等の吸着材や消臭剤等を用いて消臭する等の手段が採られている。
【０００３】
最近では光触媒の抗菌機能、脱臭機能に注目して、例えば珪藻土からなる吸着材料と光触媒とを混合して建築材料或は塗料とし、その建築材料又は塗料を建築物の内部に施工し、タバコ臭、糞尿臭のような悪臭を短時間で効率的に、しかも経済的且つ半永久的に脱臭することにより、病院医療施設や老人介護施設等で発生する臭気を脱臭するようにした、消臭材料及び消臭方法が開示されている（特許文献１）。
【０００４】
又、空調機、冷蔵庫、調理機、乾燥機等の機器分野において、悪臭や揮発性有害物質を除去するために、光触媒と紫外線照射ランプを用いた脱臭浄化装置が開示されている（例えば、特許文献２）。この脱臭浄化装置では、光触媒として酸化チタン薄膜を用いて、二種類の径の異なる管並びに紫外線を放出するランプの内外壁に酸化チタンを形成し、このランプと酸化チタン膜並びに酸化チタンを形成した管を同心円状に配置することで、ランプから放出される光エネルギーを効率的に利用することが可能となり、取り扱いや脱臭浄化効率に優れたものとしている。
【０００５】
更に、室内で発生する汚染空気を浄化するための装置としては、例えば室内からの空気を吸引するファンの下流に、室内の外部までの換気流路と室内に戻る還流路とをそれぞれ接続し、換気流路と環流路の分岐部にそれぞれの流路の開度を変更可能なダンパを配置し、このダンパの下流の環流路に空気の浮遊塵埃を捕捉する中性能フィルタと臭気を脱臭する光触媒脱臭ユニットを備えた換気装置が開示されている（特許文献３）。
【０００６】
【特許文献１】
特開２００３−８８５７２号公報
【特許文献２】
特開平１１−２９０４３０号公報
【特許文献３】
特開２００１−３３６７９６号公報
【０００７】
【発明が解決しようとする課題】
上記従来技術において、光触媒を含む材料で形成した建築材料や塗料を用いるもの、又は光触媒と紫外線照射ランプを用いた脱臭浄化機能を有する空調機を用いるもの、或は光触媒脱臭ユニットを備えた換気装置を用いるものは、いずれも室内全体の消臭を目的としたものである。しかしながら、病院医療施設等では、例えば手術室で電気メスにより体の患部を切除することにより生じる臭気や内臓の臭気等が問題になっている。又、老人介護施設等では、寝たきり老人のオムツ替え時に排泄物のにおいが室内に拡散して、悪臭が問題になっている。このように室内の一部で発生する悪臭を、上記従来のような手段で速やかに消臭することはできない。
【０００８】
手術時に発生する臭気に関しては、具体的な消臭対策が何ら施されておらず、執刀医らは業務上当然のこととして受け止め、マスクで防御しているのが現状である。又、寝たきり老人のオムツ替え時に発生する悪臭に関しては、局所的に排気する設計例もごく少数見受けられるが、換気装置や消臭装置等の機器がベッドから離れた位置に配置されている場合には十分な消臭効果が挙げられず、排気経路に至るまでに臭気が室内に拡散してしまうという問題があった。
【０００９】
本発明者らは、上記の事態を解消すべく鋭意研究した結果、例えば手術台やベッドの直近に消臭装置を配置し、好ましくは手術台やベッドに消臭装置を組み込むことにより局所で発生する臭気を速やかに消臭できることを見出して本発明を完成するに至った。即ち、本発明は、手術台やストレッチャー、ベッド等の直近から臭気を吸い込み、酸化チタン系の光触媒により脱臭し、清浄空気を室内に戻せるようにした医療・介護用脱臭装置を提供することを目的とする。
【００１０】
【課題を解決するための手段】
上記の目的を達成するための手段として、請求項１の発明は、手術台、ストレッチャー、ベッド等の台部近傍に設けた臭気吸込口と、この臭気吸込口から吸い込んだ臭気を、光触媒部材とこの光触媒部材に光線を照射する光源ランプとを有する脱臭部に導入する導入路と、前記脱臭部で脱臭した清浄空気を室内に導出する導出路と、この導出路の内部に設けた送風機とを具備してなることを特徴とする医療・介護用脱臭装置である。
【００１１】
この請求項１の構成により、手術台等の局所で発生する臭気を直ちに吸い込んで室内に拡散するのを防止することができる。又、吸い込んだ臭気を脱臭部にて光触媒により脱臭し、脱臭後の清浄空気を室内に戻すことができる。
【００１２】
又、請求項２の発明は、請求項１記載の医療・介護用脱臭装置において、前記導入路の一部に、台部上の局所で発生する臭気を吸い込む分岐ホースを接続したことを特徴とするものである。
【００１３】
この請求項２の構成により、分岐ホースを用いて台部上の局所で発生する臭気を効率良く吸い込むことができる。
【００１４】
【発明の実施の形態】
次に、本発明に係る医療・介護用脱臭装置の一実施形態を添付図面に基づいて説明する。図１は、本発明に係る医療・介護用脱臭装置の実施形態を模式的に示す概略図である。尚、本発明は、この実施形態のものに限定されるものではない。
【００１５】
図１において、１は手術台、ストレッチャー、ベッド等の台部であり、その近傍に脱臭装置２が組み込まれている。３は臭気吸込口であり、台部１の上面外周部に沿って台部１を取り囲むようにして設けられている。この臭気吸込口３は、これに限定されずに例えば台部１の両側部等適宜の部位に設けるようにしてもよい。又、臭気吸込口３には、細網状又は小格子状のカバー３ａを着脱可能に装着すると、小物類の落下防止となって好ましい。
【００１６】
４は臭気吸込口３から吸い込んだ臭気を脱臭部５に導入するための導入路である。この導入路４は、臭気吸込口３が上記のように台部１の外周部に沿って取り囲むように設けられている場合には、その全周の臭気吸込口３が脱臭部５の入口５ａに連通する部屋状体として、台部１の下方に設けることが好ましい。又、臭気吸込口３が台部１の外周部における適宜の部位に設けられている場合には、その臭気吸込口３と脱臭部５の入口５ａとを連結する管状体として設け、或は臭気吸込口３が２箇所以上に分設されている場合には、導入路となる複数の管状体を途中で合流させて脱臭部５の入口５ａに接続するようにすればよい。
【００１７】
前記脱臭部５は、所定の容積を備えた部屋状体に形成され、この部屋状体の内部に光触媒部材６と光源ランプ７とが配設されている。光触媒部材６は、例えばガラス板の表面に光触媒を塗布してなるもので、光触媒塗布面６ａが脱臭部５の入口５ａ側に向くようにして、入口５ａの下方にほぼ水平に位置させて配置する。光触媒としては、酸化チタン系の例えば二酸化チタン（ＴｉＯ２）を使用することができる。
【００１８】
上記光源ランプ７は、光触媒部材６の光触媒塗布面６ａに対向するようにして脱臭部５の上壁部に複数個並列に配設し、これらの光源ランプ７により光触媒塗布面６ａの光触媒を照射する。光源ランプ７としては、紫外線を放射するランプ（水銀ランプ、キセノンランプ等）が好ましいが、この場合は蛍光灯が用いられている。蛍光灯の光線にも紫外線が含まれているため光触媒を励起させることができる。白熱電球の光線には紫外線は含まれていないので適用できない。蛍光灯は安価に入手できて、手軽に交換できること等から使用に適している。
【００１９】
上記脱臭部５の下部には、複数の導出路８が脱臭部５に連通して設けられ、導出路８の内部には送風機９がそれぞれ設けられ、各導出路８の先端は室内に開口している。
【００２０】
前記導入路４の一部には、臭気吸込用の分岐ホース１０が接続して設けられている。この分岐ホース１０は、フレキシブルに形成されたホースであって基端部が導入路４に連結され、先端部には吸入口１０ａを有しており、その吸入口１０ａが台部１のほぼ上面全域に届くに足る長さを備えている。又、分岐ホース１０を着脱できるように、例えば導入路４側に取付口（図略）を設け、この取付口に分岐ホース１０の基端部に設けた接続口１０ｂを挿脱可能に構成してもよい。
【００２１】
更に、台部１が移動式のストレッチャーの場合には、小型の電源装置（図略）を搭載して前記光源ランプ７及び送風機９に電力を供給するように構成することも可能である。
【００２２】
上記のように構成された本実施形態での医療・介護用脱臭装置の使用状態について説明する。例えば、病院医療施設等での手術時又は老人介護施設等でのオムツ替え時において、前記光源ランプ７を点灯すると共に、送風機９を回転させる。
【００２３】
上記送風機９の回転により導入路４側に吸込力が生じ、これにより台部１上で局所的に発生した臭気は、臭気吸込口３から導入路４内に吸引される。臭気吸込口３は台部１に近接しているため、台部１上で局所的に発生した臭気を速やかに吸引して室内に臭気が拡散するのを阻止することができる。この際、前記分岐ホース１０の吸入口１０ａを臭気発生源に近付けることにより臭気を直ちに吸引して、臭気の拡散をより一層確実に阻止することが可能となる。
【００２４】
導入路４内に吸引された臭気は、送風機９による吸込力によって脱臭部５内に導入される。脱臭部５の入口５ａから導入された臭気は、放射方向に分流されて光触媒部材６の光触媒塗布面６ａに沿って流れる。
【００２５】
光触媒部材６の光触媒塗布面６ａでは、光源ランプ７からの照射光線により光触媒が励起されて活性化状態になっており、光触媒塗布面６ａに沿って流れる臭気中の分子を吸着して酸化力の強い原子状酸素により酸化する。この光触媒反応（光酸化反応）によって臭気成分は分解されて脱臭される。又、臭気中に細菌が含まれている場合には、その表面が光触媒によって分解されるので死滅する。従って、光触媒により脱臭、殺菌が行われる。光触媒による光触媒反応では、ＣＯの吸着が弱いので被毒は起こらず、触媒活性が持続して半永久的に使用できる。
【００２６】
脱臭部５内での脱臭、殺菌により清浄化された清浄空気は、送風機９により導出路８を経て室内に排出される。
【００２７】
尚、上記実施形態の構成に限定されずに、例えば図示は省略したが導入路４の内部に吸引用のファンを設けて吸引力を増大させる、制御装置により送風機９の回転を制御して脱臭部５内を流通する臭気の流速を調整し、或は室内に排出する清浄空気の流速や排出量を調整する、等の構成を加えて実施することが可能である。又、光触媒部材６の前（上流側）に活性炭等の吸着剤を設置し、一時的に臭気をトラップさせ、処理するシステムも可能である。
【００２８】
【発明の効果】
以上説明したように、本発明に係る請求項１の医療・介護用脱臭装置によれば、手術台、ストレッチャー、ベッド等の局所で発生する臭気を直ちに吸い込んで室内に拡散するのを防止することができる。従って、病院医療施設では、手術時に発生する臭気を医師の鼻に至る前に吸収して脱臭することができ、老人介護施設では、ベッド上での排泄物の悪臭をその場で消臭して他所に拡散させない効果が得られる。又、吸い込んだ臭気を脱臭部にて光触媒により脱臭し、脱臭後の清浄空気を室内に戻すことができる。これにより、ウィルスや細菌等の感染性疾患の患者に適用した場合には、医師、看護士等への二次感染や室内感染をも防止することができる。
更に、光触媒を利用しているので、光源ランプを交換することだけで脱臭効果を半永久的に持続でき、活性炭のように取り替える必要がなく、二次的汚染や廃棄物処理問題もない。
【００２９】
又、本発明に係る請求項２の医療・介護用脱臭装置によれば、分岐ホースを用いて台部上の局所で発生する臭気をより一層効率良く吸い込むことができ、且つ医師や看護士又は介護士等が簡単に使用することができる。
【図面の簡単な説明】
【図１】本発明に係る医療・介護用脱臭装置の実施形態を模式的に示す概略図である。
【符号の説明】
１  台部
２  脱臭装置
３  臭気吸込口
４  導入路
５  脱臭部
６  光触媒部材
６ａ  光触媒塗布面
７  光源ランプ
８  導出路
９  送風機
１０  分岐ホース
【図１】
2005000206.tif 000003